【手続補正書】
【提出日】平成25年12月17日(2013.12.17)
【手続補正１】
【補正対象書類名】明細書
【補正対象項目名】００２０
【補正方法】変更
【補正の内容】
【００２０】
【図１】物品の形状及び製造時の物品の原形線を示す、典型的な衛生物品の概略平面図。
【図２】物品の層構造を示す、図１の衛生物品の概略断面図。
【図３】本発明の第１の実施形態に従った衛生物品の概略平面図。
【図４】シール縁の折り畳まれる領域を図示する、図３の衛生物品の概略平面図。
【図５】本発明の第２の実施形態に従った衛生物品の概略平面図。
【図６】シール縁の折り畳まれる領域を図示する、図５の衛生物品の概略平面図。
【図７】本発明の第１の実施形態に従って、衛生物品の第１の製造段階を示す、概略平面図。
【図８】本発明の第１の実施形態に従って、衛生物品の第２の製造段階を示す、概略平面図。
【図９】本発明の第１の実施形態に従って、衛生物品の第２の製造段階を示す、概略平面図。
【図１０】本発明の第１の実施形態に従って、衛生物品の第３の製造段階を示す、概略平面図。
【手続補正２】
【補正対象書類名】明細書
【補正対象項目名】００３７
【補正方法】削除
【補正の内容】
【手続補正３】
【補正対象書類名】明細書
【補正対象項目名】００３８
【補正方法】変更
【補正の内容】
【００３８】
図８は、本発明の第１の実施形態に従って、衛生物品の第２の製造段階を示す、概略平面図である。この段階の間に、接着締結手段２０ａ、２０ｂ、２１ａ、２１ｂ、２１ｃ、２１ｄが追加される。これは、例えば、選択される接着剤がスプレー可能なホットメルト接着剤である場合に、スプレー技術システムを使用してなされてもよく、あるいは裏側に接着剤を有する接着剤材料のストリップを背面シート１０上に位置付けることによってなされてもよい。更に、これは、衛生物品１２が静止位置に保たれる間か、又は製造ラインに沿って移動している間になされてもよい。選択される接着剤が、紫外線（ＵＶ）硬化性接着剤である場合、接着締結手段２０ａ、２０ｂ、２１ａ、２１ｂ、２１ｃ、２１ｄ（及び衛生物品１２）を接着剤が硬化されるまで、紫外線源に露出する追加の工程が、この製造段階の間に含まれる。
【手続補正４】
【補正対象書類名】明細書
【補正対象項目名】００３９
【補正方法】変更
【補正の内容】
【００３９】
また、図９に示すように、この段階の間に、折り目及び穿孔（鎖線によって示される）が、接着締結手段２０ａ、２０ｂ、２１ａ、２１ｂ、２１ｃ、２１ｄとＬＡＢコーティングによって形成される剥離面２２ａ、２２ｂ、２３ａ、２３ｂ、２３ｃ、２３ｄとの間に提供されている。切れ目（破線によって示される）もまた、連続的な層構造上の個々の衛生物品１２間で、それぞれを互いから分離して、切り欠き領域１８、１９の内側の斜線の折り目上に提供されている。これは、折り目を提供するための機械的折り目付け装置、並びに穿孔及び切れ目の両方を提供するための機械的切断機を使用してなされる。
【手続補正５】
【補正対象書類名】明細書
【補正対象項目名】００４０
【補正方法】変更
【補正の内容】
【００４０】
図１０は、本発明の第１の実施形態に従って、衛生物品の第３の製造段階を示す、概略平面図である。この時点で、一旦衛生物品１２が分離されると、ＬＡＢコーティングされた剥離面２２ａ、２２ｂ、２３ａ、２３ｂ、２３ｃ、２３ｄは、自動機械的折り畳み装置を使用して接着締結手段２０ａ、２０ｂ、２１ａ、２１ｂ、２１ｃ、２１ｄ上に折り畳まれる。接着締結手段２０ａ、２０ｂ、２１ａ、２１ｂ、２１ｃ、２１ｄが完全に保護されると、衛生物品１２は、そのような製品にはよくあるように、包装のために縦方向（例えば国際公開第ＷＯ９４／０４１１１号において示されるように、例えば、対向する長手方向の辺１３、１４に沿って中央に位置付けられる折り目で２つに折り畳むこと、又は、対向する長手方向の辺１３、１４に沿って位置付けられる２つの折り目で３つに折り畳むことによって）に折り畳まれてもよい。
【手続補正６】
【補正対象書類名】明細書
【補正対象項目名】００４１
【補正方法】変更
【補正の内容】
【００４１】
上述の製造プロセスは、スプレー可能なコーティングに関して記載されるが、接着剤ストリップ装置及び、機械的折り目付け装置、切断及び折り畳み装置、並びに他の好適な技術が代用されてもよい。例えば、レーザー切断プロセスが、機械的切断プロセスの代わりに使用されてもよく、他の接着剤コーティング方法が、スプレー可能又はストリップの接着剤材料を置き換えるために使用されてもよい。本発明の実施態様の一部を以下の項目［１］−［１４］に記載する。
［１］
背面シートと前面シートとの間に挟持された細長い吸収性コアであって、前記背面シート及び前記前面シートが、前記吸収性コアを越えて十分に延在して、前記吸収性コアに隣接するシール縁領域を形成している、吸収性コアと、
少なくとも１つの接着締結手段であって、前記シール縁領域の上に、又は隣接及び近接して位置付けられ、前記接着締結手段に隣接して位置付けられる剥離面で被覆されている、接着締結手段と、
を備え、前記剥離面の少なくとも一部が、前記シール縁領域の一部分上に担持されている、衛生物品。
［２］
前記剥離面の実質的に全てが、前記シール縁領域上に担持されている、項目１に記載の衛生物品。
［３］
前記接着締結手段と、前記対応する剥離面との間に折り目を備える、項目１又は２に記載の衛生物品。
［４］
前記剥離面が、前記衛生物品から着脱可能である、項目３に記載の衛生物品。
［５］
穿孔が、前記折り目に沿って提供されている、項目４に記載の衛生物品。
［６］
前記物品が、第１及び第２の対向する長手方向の辺と、第１及び第２の対向する横方向の辺と、を備える細長い形状を有し、少なくとも１つの接着締結手段が、各対向する長手方向の辺上に提供されている、項目１〜５のいずれか一項に記載の衛生物品。
［７］
前記物品が、第１及び第２の対向する長手方向の辺と、第１及び第２の対向する横方向の辺と、を備える細長い形状を有し、少なくとも１つの接着締結手段が、各対向する横方向の辺上に提供されている、項目１〜６のいずれか一項に記載の衛生物品。
［８］
前記接着締結手段が、前記背面シート上に提供されている、項目１〜７のいずれか一項に記載の衛生物品。
［９］
前記接着締結手段が、前記前面シート上に提供されている、項目１〜７のいずれか一項に記載の衛生物品。
［１０］
接着締結手段が、前記第１及び第２の対向する長手方向の辺と、前記第１及び第２の対向する横方向の辺との交点によって画定される角部にも提供されている、項目６又は７に記載の衛生物品。
［１１］
前記第１及び第２の対向する長手方向の辺が、前記シール縁に沿って、それぞれ着用者の脚に合うように適合された切り欠き領域を備え、少なくとも１つの接着締結手段が、前記切り欠き領域に隣接して提供されている、項目６〜１０のいずれか一項に記載の衛生物品。
［１２］
前記剥離面を担持する前記シール縁の前記部分が、前記切り欠き領域の耳上にある、項目１１に記載の衛生物品。
［１３］
前記剥離面が、低接着性裏糊コーティングから形成される、項目１〜１２のいずれか一項に記載の衛生物品。
［１４］
成人用失禁パッドとしての、項目１〜１３のいずれか一項に記載の衛生物品の使用。
【手続補正７】
【補正対象書類名】特許請求の範囲
【補正対象項目名】全文
【補正方法】変更
【補正の内容】
【特許請求の範囲】
【請求項１】
背面シートと前面シートとの間に挟持された細長い吸収性コアであって、前記背面シート及び前記前面シートが、前記吸収性コアを越えて十分に延在して、前記吸収性コアに隣接するシール縁領域を形成している、吸収性コアと、
少なくとも１つの接着締結手段であって、前記シール縁領域の上に、又は隣接及び近接して位置付けられ、前記接着締結手段に隣接して位置付けられる剥離面で被覆されている、接着締結手段と、
を備え、前記剥離面の少なくとも一部が、前記シール縁領域の一部分上に担持されている、衛生物品。
【請求項２】
前記物品が、第１及び第２の対向する長手方向の辺と、第１及び第２の対向する横方向の辺と、を備える細長い形状を有し、少なくとも１つの接着締結手段が、各対向する長手方向の辺上に提供されている、請求項１に記載の衛生物品。
【請求項３】
前記物品が、第１及び第２の対向する長手方向の辺と、第１及び第２の対向する横方向の辺と、を備える細長い形状を有し、少なくとも１つの接着締結手段が、各対向する横方向の辺上に提供されている、請求項１又は２のいずれかに記載の衛生物品。
【請求項４】
成人用失禁パッドとしての、請求項１〜３のいずれか一項に記載の衛生物品の使用。